(57)【要約】【課題】製作が容易であると共に、張力調整を極めて簡単に行うことができ、編成時間を著しく短縮することができる。【解決手段】複数の編針を進退自在に並設するニードルベッドと、このニードルベッドに糸Ｙを供給するヤーンキャリア５７とを備えており、ヤーンキャリア５７へ糸Ｙを供給する糸道に、給糸Ｙのテンション変動を緩和するテンション補償装置５を設け、このテンション補償装置５が、一対の支持ローラ１，２と、各支持ローラ１，２の間に移動自在に配置された移動ガイド３とからなる。【選択図】図２
2005264350.tif 000002
【特許請求の範囲】
【請求項１】
複数の編針を進退自在に並設するニードルベッドと、このニードルベッドに糸を供給するヤーンキャリアとを備えた自動横編み機において、前記ヤーンキャリアへ糸を供給する糸道に、糸を架け渡す一対の支持ローラと、この一対のローラ間に架け渡された状態で走行する糸に係合し、該各支持ローラ間を移動可能な移動ガイドとを有するテンション補償装置を備え、前記移動ガイドの移動によって給糸のテンション変動を緩和することを特徴とする自動横編み機。
【請求項２】
給糸の種類を交換する機構を備え、この交換機構の下流側に前記テンション補償装置を設けることにより、前記テンション補償装置に、糸交換時における糸貯留機能を兼備させたことを特徴とする請求項１に記載の自動横編み機。
【請求項３】
前記移動ガイドが荷重調整可能な自重によって規制されており、垂直方向の移動によってテンション変動を緩和することを特徴とする請求項１又は２に記載の自動横編み機。
【発明の詳細な説明】
【技術分野】
【０００１】
本発明は、靴下や手袋等を編むための自動横編み機に関する。
【背景技術】
【０００２】
靴下や手袋等を編む自動横編み機は、複数の編針を進退自在に並設するニードルベッドと、このニードルベッドに沿って移動するヤーンキャリアとを備え、更に、ニードルベッド上を左右に往復動し、編針を進退操作するカムを有するキャリッジを備えている。ヤーンキャリアは、キャリッジにより連行されると共に、ニードルベッドの編針に編糸を供給し、そして、ニードルベッド中央の上方に、天バネが設けられており、編糸パッケージから供給される編糸は、この天バネを経てヤーンキャリアへ供給される。
【０００３】
ところで、中央部に設けた天バネを経て編針へ供給される編糸の張力は、編成時におけるヤーンキャリアの往復移動によって変化する。例えば、ヤーンキャリアが左から右へ移動する際、左端から中央への移動時（押し編成）には編糸の張力は漸減するが、中央から右端への移動時（引き編成）には編糸の張力は漸増する。そして、ヤーンキャリアが右から左へ移動する際には、右から中央への移動が押し編成であり、中央から左への移動が引き編成である。編糸が経由する天バネは弾性を有する部材であるので、この弾性作用によって編糸の張力を調整できるが、天バネで補うことができないテンション変動によって、網目の均斉度が悪くなるという問題がある。
【０００４】
この糸張力を緩和するための手段として、例えば特許文献１のような糸送り手段がある。この糸送り手段は、編針に糸を供給する糸送りローラと、この糸送りローラを駆動させるローラ駆動部とからなり、ヤーンキャリアに設けられている。この糸送り手段によれば、編成時における編糸張力を小さくすると共に、押し編成と引き編成との間の張力差を小さくすることができる。
【特許文献１】特開平１０−１０２３６１号公報
【発明の開示】
【発明が解決しようとする課題】
【０００５】
前記した特許文献１の糸送り手段は、編糸張力や、押し編成と引き編成との張力変動を小さくすることができるが、比較的小さなヤーンキャリアに、複数のローラを設ける複雑な機構であるので、製作が困難であると共に、張力調整等のメンテナンスが非常に厄介であるという問題がある。また、種々の編糸を交換可能な自動交換機構を備えた自動横編み機では、糸を交換する間、編糸パッケージからの給糸が停止するので、ヤーンキャリアやキャリッジ等を停止しなければならず、連続的な編成ができず編成時間が長くなるという問題がある。
【０００６】
そこで、本発明は、前記の問題に鑑みて、製作が容易であると共に、張力調整等を極めて簡単に行うことができるテンション補償装置を備え、更に自動交換機構による給糸が停止する間も、ヤーンキャリア等の停止を不要として編成時間を著しく短縮することのできる自動横編み機を提供することを目的とする。
【課題を解決するための手段】
【０００７】
本発明に係る自動横編み機は、複数の編針を進退自在に並設するニードルベッドと、このニードルベッドに糸を供給するヤーンキャリアとを備えており、ヤーンキャリアへ糸を供給する糸道に、糸を架け渡す一対の支持ローラと、この一対のローラ間に架け渡された状態で走行する糸に係合し、各支持ローラ間を移動可能な移動ガイドとを有するテンション補償装置を備え、移動ガイドの移動によって給糸のテンション変動を緩和するとを特徴とする。
【０００８】
好ましくは、給糸の種類を交換する機構を備え、この交換機構の下流側にテンション補償装置を設けることにより、テンション補償装置に、糸交換時における糸貯留機能を兼備させたことを特徴とする。
【０００９】
更に、移動ガイドが荷重調整可能な自重によって規制されており、垂直方向の移動によってテンション変動を緩和することが好ましい。
【発明の効果】
【００１０】
本発明によれば、ヤーンキャリアへ糸を供給する糸道に、給糸のテンション変動を緩和するテンション補償装置を設けているので、天バネだけでは編糸の張力変化を補うことができない場合でも、引き編成及び押し編成時の給糸張力の変動を緩和することができるので、網目の均斉度を非常に良くすることができ、編成品の価値を向上させ得る。
【００１１】
又、このテンション補償装置は基本的に、一対の支持ローラと、これら支持ローラ間に配置された移動ガイドとからなっているので、製作が容易であると共に、部品の故障や交換の際等のメンテナンス作業を非常に簡単に行うことができる。
【００１２】
そして、種々の給糸を交換する機構を備えた自動横編み機に、このテンション補償装置を設けることにより、糸交換時における給糸パッケージからの給糸が停止しても、移動ガイドの上昇移動により、ヤーンキャリアへの給糸を連続的に行うことが可能である。従って、糸交換時における糸貯留機能をも兼備させることにより、ヤーンキャリアを停止させることなく連続的に編成することができ、従来に比して編成時間を大幅に短縮することができる。
【００１３】
更に、移動ガイド自重の荷重を調節可能とすることで、様々な糸種の張力に対応することができ、非常に利便性に富む。
【発明を実施するための最良の形態】
【００１４】
以下、添付図面に基づいて、本発明に係る自動横編み機について詳細に説明する。
【００１５】
図１は、本発明に係る自動横編み機を示す正面図である。図２は、自動横編み機を示す側面図である。自動横編み機は、図１の如く、機台５０を備えており、この機台５０の上部にニードルベッド５２が設けられている。このニードルベッド５２は一対で構成され、機台５０の正面及び背面側に、ハの字状に配設されており、各ニードルベッド５２は、複数の編針５３を並設している。そして、各ニードルベッド５２の編針５３は、先端が互いに対峙しており、進退自在に配設されている。
【００１６】
機台５０の左右側に、一対の支持部材５１，５１’が設けられており、各支持部材５１，５１’によって、左右方向に設けられたキャリッジレール５４が各ニードルベッド２の前面に配置されている。各キャリッジレール５４には、キャリッジ５５が往復可能に設けられており、このキャリッジ５５が、左右往復移動することによって、ニードルベッド５４の編針５３を進退操作するよう構成されている。
【００１７】
更に、ニードルベッド５２の上方には、支持部材５１，５１’によって、水平方向に設けられた糸道レール５６が配置されている。この糸道レール５６に、ヤーンキャリア５７が設けられており、このヤーンキャリア５７は編糸Ｙを把持しており、糸道レール５６に沿って往復移動することによって、ニードルベッド５２に編糸Ｙを供給するよう構成されている。そして、機台５０に備えられたコントローラ５８によって、キャリッジ５５及びヤーンキャリア５７等の停止・駆動等を制御する。コントローラ５８を操作することによって、自動横編み機が駆動し、編成品を、機台５０の中央下部に設けた取出口５９へ送る。
【００１８】
図１の如く、編糸Ｙは、機台５０の中央上方に設けられた天バネ１０を経由して、ヤーンキャリア５７へ供給されている。従って、ヤーンキャリア５７が左から右へ移動する際、編糸Ｙは、実線位置Ｙから天バネ１０の垂直方向である一点鎖線位置ＣＬを経て、二点鎖線位置Ｙａへ移動する。そして、ヤーンキャリア５７が右から左へ移動する際には、編糸Ｙは、二点鎖線位置Ｙａから一点鎖線位置ＣＬを経て、実線位置Ｙへ移動する。
【００１９】
ヤーンキャリア５７が左から右へ移動する場合、実線位置Ｙから一点鎖線位置ＣＬへ移動する時（押し編成）編糸Ｙの張力は漸減し、一点鎖線位置ＣＬから二点鎖線位置Ｙａへ移動する時（引き編成）編糸Ｙの張力は漸増する。又、ヤーンキャリア５７が右から左へ移動する場合、二点鎖線位置Ｙａから一点鎖線位置ＣＬへ移動する時（押し編成）編糸Ｙの張力は漸減し、一点鎖線位置ＣＬから実線位置Ｙへ移動する時（引き編成）編糸Ｙの張力は漸増する。
【００２０】
このように、押し編成及び引き編成において編糸Ｙの張力が変動し、引き編成においては、編糸Ｙの張力の増大によって糸切れが生じる。この編糸Ｙの張力を調整する手段として、天バネ１０が設けられている。この天バネ１０は、図２の如く、水平方向に設けられた弾性部材であるので、天バネ１０の弾性変形によって、ある程度編糸Ｙの張力変化を緩和することができる。更に、この天バネ１０で緩和することができないテンション変動による網目の不均斉は、次に説明するテンション補償装置によって補償する。
【００２１】
図２に基づいて、テンション補償装置について説明する。機台５０の背面側には、複数の編糸パッケージ１３が配され、そして、各編糸パッケージ１３からの給糸Ｙ’を、交換選択自在とする交換機構１５が設けられている。この交換機構１５は、各編糸パッケージ１３からの給糸Ｙ’を把持する複数の糸選択クランプ１２と、機台５０側の給糸Ｙを把持する把持部１４とを備えており、糸選択クランプ１２と把持部１４との間に糸継ぎ装置１１が設けられている。この糸継ぎ装置１１は、ノッターやスプライサー等からなり、編糸パッケージ１３側の給糸Ｙ’と機台５０側の給糸Ｙとを糸継ぎするものである。
【００２２】
通常時には、所定の編糸パッケージ１３からの編糸Ｙ’が、交換機構１５を経て、ヤーンキャリア５７へ供給されている。そして、編糸Ｙの色彩等を変更する際には、交換機構１５の把持部１４が、機台５０側の編糸Ｙを把持すると共に、図示されていないカッタにより切断する。その後、糸選択クランプ１２によって把持している所望の編糸パッケージ１３の編糸Ｙ’を、糸継ぎ装置１１へ導き、把持部１４が把持する編糸Ｙと、糸選択クランプ１２が把持する編糸Ｙ’とを糸継ぎすることにより、ヤーンキャリア５７へ供給される編糸Ｙが交換される。
【００２３】
そして、この交換機構１５と天バネ１０の間に、テンション補償装置５が設けられており、交換機構１５に対して糸道下流側に設けられた案内ローラ１６を通じて、交換機構１５から送り出される編糸Ｙがテンション補償装置５へ案内されている。このテンション補償装置５は、一対の支持ローラ１，２が所定間隔を置いて配置されており、これら支持ローラ１，２間の垂直下方に、移動ガイド３が配置されている。
【００２４】
案内ローラ１６から送られる編糸Ｙは、第１の支持ローラ１を通じた後、移動ガイド３を経て、第２の支持ローラ２を通じ、天バネ１０へ導かれる。移動ガイド３は、上部にフック部３０、下部にシャフト部３１を備えており、各支持ローラ１，２間に架け渡された状態で走行する編糸Ｙは、このフック部３０に係合されている。そして、この移動ガイド３を支持するためのホルダ部材７が水平方向に設けられている。ホルダ部材７は、上下方向に貫通する孔部（図示略）を有しており、この孔部へ移動ガイド３のシャフト部３１を通し、フック部３０を掛止することにより、移動ガイド３を垂直方向に昇降移動自在に支持している。
【００２５】
更に、移動ガイド３のシャフト部３１の下部には、錘９が掛止されており、この錘９の数や荷重を増減可能とすることにより、移動ガイド３の自重を調節可能なよう構成されている。従って、引き編成時に、編糸Ｙの張力が、天バネ１０の弾性力を超える場合、移動ガイド３が上方へ移動することにより、瞬間的に所定長の編糸Ｙを供給することができるので、編糸Ｙの張力を漸減することができ、編糸Ｙのテンション変動を緩和し、網目の不均斉を防止することができる。又、錘９を編糸Ｙの種類に応じて調節することにより、編糸Ｙの張力と移動ガイド３の移動をが調節することができる。
【００２６】
交換機構１５は、編糸Ｙを交換する際、先ず案内ローラ１６側の編糸Ｙを把持部１４で把持し、編糸Ｙをカッタ（図示略）により切断し、把持部１４が把持する編糸Ｙの切断部に、交換する他の編糸パッケージ１３の編糸Ｙ’の糸端部をクランプ１２が導き、編糸ＹとＹ’の端部同士を糸継ぎ装置１１によるエア等で接続するので、この一連の作業を行う間、編糸パッケージ１３からの給糸が停止される。そして、テンション補償機構５を前記のように構成することにより、従来のようにヤーンキャリア５７及びキャリッジ５５を停止することなく、編糸Ｙをヤーンキャリア５７へ継続的に供給することができる。すなわち、移動ガイド３は、二点鎖線位置３ａまで上昇可能であるので、交換機構１５が糸交換をする間、移動ガイド３が上昇移動するに伴い、各支持ローラ１，２間の編糸Ｙを、ヤーンキャリア５７へ供給することができるので、ヤーンキャリア５７等の往復移動を停止することなく、編成を行うことができるので、編成時間を大幅に短縮することができる。従って、このテンション補償機構５は、編糸Ｙの張力を緩和する機能の外、交換機構１５のための糸貯留機能をも併せ備えている。
【００２７】
前記した実施例では、錘９によって移動ガイド９の自重による荷重を調整することができるが、この荷重調整手段は、バネ等であっても良い。又本発明は、前記した自動横編み機に限らず、種々の横編み機に対しても適用可能である。
【図面の簡単な説明】
【００２８】
【図１】本発明に係る自動横編み機を示す正面図である。
【図２】自動横編み機を示す側面図である。
【符号の説明】
【００２９】
１  第１の支持ローラ
２  第２の支持ローラ
３  移動ガイド
５  テンション補償装置
１０  天バネ
１３  給糸パッケージ
１５  給糸交換機構
Ｙ  編糸
【図１】
2005264350.tif 000003
【図２】
2005264350.tif 000004